(57)【要約】【課題】簡易に袋物を吊り上げることができ、袋物を破る事故を低減することが可能な吊り上げ装置を提供する。【解決手段】それぞれ所定以上の幅の先端部５ａ、５ｂを有し、搬送対象の袋物１０の自重で閉じて袋物１０を抱える、第１のアーム２ａと第２のアーム２ｂとからなる１対のアームと、１対のアーム２ａ、２ｂが閉じたときの先端部５ａ、５ｂ間の距離の下限を制限するアーム間距離制限部材３と、外腕部７ｂに吊り上げ用の吊り手部材４と、を備え、第１のアーム２ａが、第２のアーム２ｂの途中部分に設けられた支点Ｆに回転可能に取り付けられ、支点Ｆの周りに回転して第２のアーム２ｂとの間に袋物１０を抱え、アーム間距離制限部材３が、鎖等を用いて長さが調節できるように形成され、第１のアーム２ａの途中部分と第２のアーム２ｂの支点よりも基端側の外腕部７ｂとを繋ぐように設けられ、袋物１０を抱えて吊り上げる構成を有している。【選択図】図１
2007238191.tif 000002
【特許請求の範囲】
【請求項１】
それぞれ所定以上の幅の先端部を有し、搬送対象の袋物の自重で閉じて前記袋物を抱える、第１のアームと第２のアームとからなる１対のアームを備え、前記袋物を抱えて吊り上げることを特徴とする吊り上げ装置。
【請求項２】
前記１対のアームが閉じたときの前記先端部間の距離の下限を制限するアーム間距離制限部材を備えたことを特徴とする請求項１に記載の吊り上げ装置。
【請求項３】
前記第１のアームが、前記第２のアームの途中部分に設けられた支点に回転可能に取り付けられ、前記支点の周りに回転して前記第２のアームとの間に前記袋物を抱えることを特徴とする請求項１又は請求項２に記載の吊り上げ装置。
【請求項４】
前記各アームは、長手方向の少なくとも一部の断面が矩形状の形状を有し、持ち上げられたときに前記形状の長い方の辺を有する面が重力の方向に沿うように設けられていることを特徴とする請求項１又は請求項２に記載の吊り上げ装置。
【請求項５】
少なくとも一方の前記アームは、前記先端部の、前記袋物を吊り上げたときに前記袋物に接しうる部分が所定値以上の曲率半径を有することを特徴とする請求項１又は請求項２に記載の吊り上げ装置。
【請求項６】
前記各アームは、前記袋物と接する側に前記形状の長い方の辺を有する面が沿うように設けられていることを特徴とする請求項４に記載の吊り上げ装置。
【請求項７】
前記アーム間距離制限部材は、前記第１のアームの途中部分と前記第２のアームの前記支点よりも基端側の外腕部とを繋ぐように設けられ、長さが調節できることを特徴とする請求項３に記載の吊り上げ装置。
【請求項８】
前記アーム間距離制限部材は、前記第１のアームと前記第２のアームとを分離できるように設けられることを特徴とする請求項７に記載の吊り上げ装置。
【請求項９】
前記アーム間距離制限部材は、鎖を用いて形成されていることを特徴とする請求項７に記載の吊り上げ装置。
【請求項１０】
前記第２のアームは、前記外腕部に吊り上げ用の吊り手部材が設けられていることを特徴とする請求項１乃至請求項９のいずれか一項に記載の吊り上げ装置。
【発明の詳細な説明】
【技術分野】
【０００１】
本発明は、穀類、粉体等を入れた袋物を吊り上げて搬送する吊り上げ装置に関する。
【背景技術】
【０００２】
従来、穀類、粉体等は、紙、ビニール等からなる袋に詰められて袋物として扱われ搬送される。このような袋物は一般に数十ｋｇ以上の重量を有し、搬送の負担が大きい。このような負担を軽減すべく、袋物を吊り上げて車両に積載することが行われている。袋物を吊り上げる吊り上げ装置は、例えば、ロープ、チェーン等を袋物に巻き付け、又は、アームで抱えてフックに固定し、他の搬送装置が鉤をフックにかけて吊るし上げ搬送するようになっている（例えば、特許文献１参照。）。
【特許文献１】特開平１１−３３４７８６号公報
【発明の開示】
【発明が解決しようとする課題】
【０００３】
しかしながら、従来の吊り上げ装置では、ロープ等を用いる場合、吊り上げた際のバランスをとり落下等を防止するために巻き付けに注意を要するという問題を有していた。大量の袋物を運ぶ場合は特に煩雑となっていた。
【０００４】
また、アームで抱える場合では、バランスを崩して落下することを防止するため、強く抑える必要があり、その結果、袋が破れてしまうことがあるという問題を有していた。
【０００５】
以上の現状に鑑み、本発明の目的は、簡易に袋物を吊り上げることができ、袋物を破る事故を低減することが可能な吊り上げ装置を提供する。
【課題を解決するための手段】
【０００６】
上記の課題を解決すべく、本発明は以下の構成を提供する。
請求項１に係る発明は、それぞれ所定以上の幅の先端部を有し、搬送対象の袋物の自重で閉じて前記袋物を抱える、第１のアームと第２のアームとからなる１対のアームを備え、前記袋物を抱えて吊り上げることを特徴とする。
【０００７】
請求項２に係る発明は、請求項１の吊り上げ装置において、前記１対のアームが閉じたときの前記先端部間の距離の下限を制限するアーム間距離制限部材を備えたことを特徴とする。
【０００８】
請求項３に係る発明は、請求項１又は請求項２の吊り上げ装置において、前記第１のアームが、前記第２のアームの途中部分に設けられた支点に回転可能に取り付けられ、前記支点の周りに回転して前記第２のアームとの間に前記袋物を抱えることを特徴とする。
【０００９】
請求項４に係る発明は、請求項１又は請求項２の吊り上げ装置において、前記各アームは、長手方向の少なくとも一部の断面が矩形状の形状を有し、持ち上げられたときに前記形状の長い方の辺を有する面が重力の方向に沿うように設けられていることを特徴とする。
【００１０】
請求項５に係る発明は、請求項１又は請求項２の吊り上げ装置において、少なくとも一方の前記アームは、前記先端部の、前記袋物を吊り上げたときに前記袋物に接しうる部分が所定値以上の曲率半径を有することを特徴とする。
【００１１】
請求項６に係る発明は、請求項４の吊り上げ装置において、前記各アームは、前記袋物と接する側に前記形状の長い方の辺を有する面が沿うように設けられていることを特徴とする。
【００１２】
請求項７に係る発明は、請求項３の吊り上げ装置において、前記アーム間距離制限部材は、前記第１のアームの途中部分と前記第２のアームの前記支点よりも基端側の外腕部とを繋ぐように設けられ、長さが調節できることを特徴とする。
【００１３】
請求項８に係る発明は、請求項７の吊り上げ装置において、前記アーム間距離制限部材は、前記第１のアームと前記第２のアームとを分離できるように設けられることを特徴とする。
【００１４】
請求項９に係る発明は、請求項７の吊り上げ装置において、前記アーム間距離制限部材は、鎖を用いて形成されていることを特徴とする。
【００１５】
請求項１０に係る発明は、請求項１乃至請求項９のいずれか一項に記載の吊り上げ装置において、前記第２のアームは、前記外腕部に吊り上げ用の吊り手部材が設けられていることを特徴とする。
【発明の効果】
【００１６】
請求項１に係る発明によれば、１対のアームがそれぞれ所定以上の幅の先端部を有し、搬送対象の袋物の自重で閉じて袋物を抱えるため、袋物の重さを先端部に分散させることができ、簡易に袋物を吊り上げることができると共に、袋物を破る事故を低減することが可能な吊り上げ装置を実現することができる。
【００１７】
請求項２に係る発明によれば、上記請求項１の効果に加えて、アームが閉じたときの先端部間の距離の下限を制限するアーム間距離制限部材をさらに備えたため、袋物にかかる力の上限を一層制限でき、さらに袋物を破る事故を低減することができる。
【００１８】
請求項３に係る発明によれば、上記請求項１又は請求項２の効果に加えて、第１のアームが第２のアームの途中部分に設けられた支点に回転可能に取り付けられているため、簡易な構成で袋物を吊り上げることができる。
【００１９】
請求項４に係る発明によれば、上記請求項１又は請求項２の効果に加えて、長手方向の少なくとも一部の断面が矩形状の形状を有し、持ち上げられたときに上記の形状の長い方の辺を有する面が重力の方向に沿うように設けられているため、重力に対する機械的強度の確保に好ましい。
【００２０】
請求項５に係る発明によれば、上記請求項１又は請求項２の効果に加えて、先端部の、袋物を吊り上げたときに袋物に接しうる部分が所定値以上の曲率半径を有するため、鋭利な部分を除くことができ、さらに袋物を破る事故を低減することができる。
【００２１】
請求項６に係る発明によれば、上記請求項４の効果に加えて、各アームが、袋物と接する側に形状の長い方の辺を有する面が沿うように設けられているため、袋物と接する側の面の面積を大きくすることができ、さらに袋物を破る事故を低減することができる。
【００２２】
請求項７に係る発明によれば、上記請求項３の効果に加えて、アーム間距離制限部材が、第１のアームの途中部分と第２のアームの支点よりも基端側の外腕部とを繋ぐように設けられ、長さが調節できるため、袋物に合わせて挟持する力を調節でき、異なる種類の袋物についても袋物を破る事故を低減することができる。
【００２３】
請求項８に係る発明によれば、上記請求項７の効果に加えて、アーム間距離制限部材が第１のアームと第２のアームとを分離できるように設けられるため、分離してコンパクトにすることができる。
【００２４】
請求項９に係る発明によれば、上記請求項７の効果に加えて、アーム間距離制限部材が鎖を用いて形成されているため、鎖の長さを調節することによって袋物にかかる力の上限を簡易に制限することができる。
【００２５】
請求項１０に係る発明によれば、上記請求項１乃至請求項９のいずれか一項に記載の効果に加えて、第２のアームの外腕部に吊り上げ用の吊り手部材が設けられているため、袋物の自重で閉じて袋物を抱える構成を簡易に実現することができる。
【発明を実施するための最良の形態】
【００２６】
以下、実施例を示した図面を参照しつつ本発明の実施の形態について説明する。
図１は、本発明による吊り上げ装置の一実施例を概略的に示す平面図および側面図である。吊り上げ装置１は、図１（ａ）に示すように、第１のアーム２ａと第２のアーム２ｂとからなる１対のアームと、この１対のアーム２ａ、２ｂが閉じたときのアーム２ａ、２ｂ間の距離の下限を制限するアーム間距離制限部材３と、アーム２ａ、２ｂの吊り上げ用の吊り手部材４とを備える。
【００２７】
第１のアーム２ａは、第２のアーム２ｂの途中部分に設けられた支点Ｆに回転可能に取り付けられ、各アーム２ａ、２ｂは、図１（ｂ）に示すようにそれぞれ所定以上の幅を有する先端部５ａ、５ｂを有し、不図示の袋物の自重で閉じて袋物を抱えるようになっている。ここで、上記の「所定以上の幅」とは、袋物を抱えて持ち上げたときに袋物の自重で破れない程度の幅をいい、具体的には、２０〜５０ｃｍ程度をいう。この幅は、吊り上げられる袋物の重量、形状等によって変わるものであり、上記の具体例の範囲に限定されるものではない。以下、第２のアーム２ｂの支点Ｆから先端部５ｂ側の部分を内腕部６ｂといい、支点Ｆから基端側の部分を外腕部７ｂという。また、アーム２ａ、２ｂの先端部５ａ、５ｂ以外の部分を腕部という。
【００２８】
アーム２ａ、２ｂの腕部は、長手方向の少なくとも一部の断面が矩形状の形状を有し、吊り上げ装置１が持ち上げられたときに矩形状の形状の長い方の辺が重力の方向に沿うようになっている。ここで、アーム２ａ、２ｂの腕部は、袋物に接する側の面の一方又は両方の辺が、袋物を吊り上げたときに袋物を破らないように所定値以上の曲率半径をもつように仕上げられているのでもよい。
【００２９】
また、アーム２ａ、２ｂの腕部は、図１に示すように、袋物に接する側の面を大きくし重力に対する機械的強度を担保すべく、腕部の途中でねじられた構造であってもよい。図１に示す構成では、第１のアーム２ａの腕部の持ち上げたときに水平となる部分が、矩形状の形状の長い方の辺が重力の方向に沿うように、アーム２ａ、２ｂの腕部がねじられている。
【００３０】
先端部５ａ、５ｂは、棒状又は板状の部材を用いて形成され、アーム２ａ、２ｂの腕部と異なる部材を用いて構成されるのでもよい。また、先端部５ａ、５ｂの袋物に接する部分の辺および端部は、袋物を吊り上げたときに袋物が破れないように所定値以上の曲率半径をもつように仕上げられているのでもよい。先端部５ａ、５ｂは、所定の場合には丸棒、楕円の断面形状を有する棒等からなるのでもよい。さらに、先端部５ａ、５ｂは、アーム２ａ、２ｂの腕部に溶接等によって固定されるのでもよい。この場合、先端部５ａ、５ｂは、アーム２ａ、２ｂの腕部とは同一又は類似の材料によって構成されるのが、溶接の容易性の観点から好ましい。
【００３１】
また、アーム２ａ、２ｂの腕部には、図１（ａ）に示すようにアーム間距離制限部材３を取り付ける貫通孔等の間距離制限部材取り付け部が設けられている。図１には、第１のアーム２ａが第２のアームに取り付けられる上記の支点Ｆが、ボルトナットによって構成される例が示されている。ここで、ボルトのネジが形成された部分は、ナットと接する部分から先端とし、第１のアームと接触する部分にはネジが形成されていないものとする。このようにすることによって、２つのアーム２ａ、２ｂをそれぞれ分離することができるとともに、使用中のネジの変形を低減できる。また、支点Ｆの構成部材は、リベット等、ボルトナット以外のその他の部材でもよい。
【００３２】
アーム間距離制限部材３は、例えば、図１に示すように鎖によって構成され、鎖の長さを調節することによってアーム２ａ、２ｂ間の距離の下限が調節される。ここで、アーム間距離制限部材３は、２つのアーム２ａ、２ｂが分離できるように構成されているのでもよい。ただし、アーム間距離制限部材３は、所定以上の強度を有する部材であり、長さが調節可能であれば、鎖以外のその他の部材によって構成されるのでもよい。具体的には、紐、線材、１対のネジ、及びこれらと鎖との組み合わせ、等を用いるのでもよい。
【００３３】
吊り手部材４は、吊り上げ装置１を吊し上げるための付図示の搬送機の結合手段が取り付けられる。図１には、吊り手部材４として吊り手金具が設けられた例が示されている。ただし、吊り手部材４は、貫通孔、ネジ、その他によって構成されるのでもよい。吊り手部材４としは、吊り手金具、貫通孔が形成に要する負担が少なく、好ましい。
【００３４】
以下、図面を参照しつつ本発明による吊り上げ装置の作用について説明する。図２は、吊り上げ装置が袋物を抱えて持ち上げられている状態を表す正面図であり、図３は、対応する側面図である。まず、アーム２ａ、２ｂの先端部が開かれ、袋物１０の中央付近を跨ぐように吊り上げ装置１が配置される。次に、袋物１０を先端部５ａ、５ｂが側面下部から、アーム２ａ、２ｂの腕部が袋物１０の周囲を挟持し、抱えるようにアーム２ａ、２ｂが閉じられる。そして、アーム間距離制限部材３がアーム２ａ、２ｂの腕部に所望の長さで取り付けられる。ここで、アーム間距離制限部材３の長さは、袋物１０が落下しない程度かつ破れない程度の強さでアーム２ａ、２ｂが袋物を抱えることができるように設定される。最後に、搬送機の結合手段２０が吊り手部材４に取り付けられる。ここで、図２および図３には、結合手段２０としてフックが用いられている例が示されている。結合手段２０が結合され袋物１０を抱えた吊り上げ装置１は、クレーン等の搬送装置によって所望の場所に搬送され、結合手段２０が搬送後に取り外される。
【図面の簡単な説明】
【００３５】
【図１】本発明による吊り上げ装置の一実施例を概略的に示す平面図および側面図である。
【図２】本発明による吊り上げ装置が袋物を抱えて持ち上げられている状態を表す正面図である。
【図３】図２に対応する側面図である。
【符号の説明】
【００３６】
１  吊り上げ装置
２ａ、２ｂ  アーム
３  アーム間距離制限部材
４  吊り手部材
５ａ、５ｂ  アームの先端部
６ｂ  内腕部
７ｂ  外腕部
１０  袋物
２０  結合手段
【図１】
2007238191.tif 000003
【図２】
2007238191.tif 000004
【図３】
2007238191.tif 000005